(57)【特許請求の範囲】
【請求項１】
外部メモリを着脱可能な携帯端末であって、
変化前の前記携帯端末に搭載されているアプリケーションプログラムの状態である第１の端末状態と、変化後の前記アプリケーションプログラムの状態である第２の端末状態とを検出する端末状態検出部と、
前記携帯端末に前記外部メモリが装着されたことを検出するＳＤスロット状態検出部と、
操作前の前記アプリケーションプログラムの状態を示す操作前端末状態情報と、操作後の前記アプリケーションプログラムの状態を示す操作後端末状態情報と、前記外部メモリの使用可能性の有無を示す使用可能性情報との組からなる条件を記憶している条件記憶部と、
前記ＳＤスロット状態検出部によって前記携帯端末に前記外部メモリが装着されたことが検出されている状態において、前記端末状態検出部によって前記第１の端末状態と前記第２の端末状態とが検出されたとき、前記条件記憶部に記憶されている前記条件に基づいて、前記操作前端末状態が前記第１の端末状態を示し、かつ前記操作後端末状態が前記第２の端末状態を示すとしたときの、前記外部メモリの使用可能性の有無を前記使用可能性情報から抽出し、前記外部メモリの使用可能性が有るとの結果が抽出された場合には、前記外部メモリへの電力供給を開始すべきと判定し、前記外部メモリの使用可能性がないとの結果が抽出された場合には、前記外部メモリへの電力供給を開始すべきではないと判定する判定部と、
前記判定部によって前記外部メモリへの電力供給を開始すべきと判定されたとき、前記外部メモリへの電力供給を開始し、前記外部メモリへの電力供給を開始すべきではないと判定されたとき、前記外部メモリへの電力供給を中止する電力供給部と
を備えることを特徴とする携帯端末。
【請求項２】
前記端末状態検出部は、映像を再生する機能を備えた映像再生アプリケーションプログラムの起動前の状態である前記第１の端末状態と、前記映像再生アプリケーションプログラムの起動後の状態である前記第２の端末状態とを検出し、
前記条件記憶部は、前記映像再生アプリケーションプログラムの起動前の状態を示す前記操作前端末状態情報と、前記映像再生アプリケーションプログラムの起動後の状態を示す前記操作後端末状態情報と、前記外部メモリの使用可能性が有りとの情報を示す前記使用可能性情報との組からなる条件を記憶している
ことを特徴とする請求項１に記載の携帯端末。
【請求項３】
前記端末状態検出部は、テレビ付き携帯端末によって受信された映像を録画する機能を備えた映像録画アプリケーションプログラムの起動前の状態である前記第１の端末状態と、前記映像録画アプリケーションプログラムの起動後の状態である前記第２の端末状態とを検出し、
前記条件記憶部は、前記映像録画アプリケーションプログラムの起動前の状態を示す前記操作前端末状態情報と、前記映像録画アプリケーションプログラムの起動後の状態を示す前記操作後端末状態情報と、前記外部メモリの使用可能性が有りとの情報を示す前記使用可能性情報との組からなる条件を記憶している
ことを特徴とする請求項１に記載の携帯端末。
【請求項４】
前記端末状態検出部は、アドレス帳データを編集する機能を備えたアドレス帳アプリケーションプログラムの起動前の状態である前記第１の端末状態と、前記アドレス帳アプリケーションプログラムの起動後の状態である前記第２の端末状態とを検出し、
前記条件記憶部は、前記アドレス帳アプリケーションプログラムの起動前の状態を示す前記操作前端末状態情報と、前記アドレス帳アプリケーションプログラムの起動後の状態を示す前記操作後端末状態情報と、前記外部メモリの使用可能性が有りとの情報を示す前記使用可能性情報との組からなる条件を記憶している
ことを特徴とする請求項１に記載の携帯端末。
【請求項５】
前記端末状態検出部は、課金に関する処理を実行する機能を備えた課金処理アプリケーションプログラムの起動前の状態である前記第１の端末状態と、前記課金処理アプリケーションプログラムの起動後の状態である前記第２の端末状態とを検出し、
前記条件記憶部は、前記課金処理アプリケーションプログラムの起動前の状態を示す前記操作前端末状態情報と、前記課金処理アプリケーションプログラムの起動後の状態を示す前記操作後端末状態情報と、前記外部メモリの使用可能性が有りとの情報を示す前記使用可能性情報との組からなる条件を記憶している
ことを特徴とする請求項１に記載の携帯端末。
【請求項６】
前記端末状態検出部は、前記アプリケーションプログラムによるデータアクセスの開始前の状態である前記第１の端末状態と、前記アプリケーションプログラムによるデータアクセスの開始後の状態である前記第２の端末状態とを検出し、
前記条件記憶部は、前記アプリケーションプログラムによるデータアクセスの開始前の状態を示す前記操作前端末状態情報と、前記アプリケーションプログラムによるデータアクセスの開始後の状態を示す前記操作後端末状態情報と、前記外部メモリの使用可能性が有りとの情報を示す前記使用可能性情報との組からなる条件を記憶している
ことを特徴とする請求項１に記載の携帯端末。
【請求項７】
前記条件記憶部に記憶されている前記条件は、外部ネットワークからダウンロードされることにより更新される
ことを特徴とする請求項１に記載の携帯端末。
【請求項８】
外部メモリを着脱可能な携帯端末であって、
楽曲を再生する機能を備えた楽曲再生アプリケーションプログラムの起動前の状態である第１の端末状態と、前記楽曲再生アプリケーションプログラムの起動後の状態である第２の端末状態とを検出する端末状態検出部と、
前記携帯端末に前記外部メモリが装着されたことを検出するＳＤスロット状態検出部と、
前記楽曲再生アプリケーションプログラムの起動前の状態を示す操作前端末状態情報と、前記楽曲再生アプリケーションプログラムの起動後の状態を示す前記操作後端末状態情報と、前記外部メモリの使用可能性が有りとの情報を示す使用可能性情報との組からなる条件を記憶している条件記憶部と、
前記ＳＤスロット状態検出部によって前記携帯端末に前記外部メモリが装着されたことが検出されている状態において、前記端末状態検出部によって前記第１の端末状態と前記第２の端末状態とが検出されたとき、前記条件記憶部に記憶されている前記条件に基づいて、前記操作前端末状態が前記第１の端末状態を示し、かつ前記操作後端末状態が前記第２の端末状態を示すとしたときの、前記外部メモリの使用可能性の有無を前記使用可能性情報から抽出し、前記外部メモリの使用可能性が有るとの結果が抽出された場合には、前記外部メモリへの電力供給を開始すべきと判定し、前記外部メモリの使用可能性がないとの結果が抽出された場合には、前記外部メモリへの電力供給を開始すべきではないと判定する判定部と、
前記判定部によって前記外部メモリへの電力供給を開始すべきと判定されたとき、前記外部メモリへの電力供給を開始し、前記外部メモリへの電力供給を開始すべきではないと判定されたとき、前記外部メモリへの電力供給を中止する電力供給部と
を備えることを特徴とする携帯端末。
【請求項９】
外部メモリを着脱可能な携帯端末であって、
前記外部メモリが行う非接触通信の変化前の状態である第１の端末状態と、変化後の状態である第２の端末状態とを検出する端末状態検出部と、
前記携帯端末に前記外部メモリが装着されたことを検出するＳＤスロット状態検出部と、
前記非接触通信の変化前の状態を示す操作前端末状態情報と、前記非接触通信の変化後の状態を示す操作後端末状態情報と、前記外部メモリの使用可能性の有無を示す使用可能性情報との組からなる条件を記憶している条件記憶部と、
前記ＳＤスロット状態検出部によって前記携帯端末に前記外部メモリが装着されたことが検出されている状態において、前記端末状態検出部によって前記第１の端末状態と前記第２の端末状態とが検出されたとき、前記条件記憶部に記憶されている前記条件に基づいて、前記操作前端末状態が前記第１の端末状態を示し、かつ前記操作後端末状態が前記第２の端末状態を示すとしたときの、前記外部メモリの使用可能性の有無を前記使用可能性情報から抽出し、前記外部メモリの使用可能性が有るとの結果が抽出された場合には、前記外部メモリへの電力供給を開始すべきと判定し、前記外部メモリの使用可能性がないとの結果が抽出された場合には、前記外部メモリへの電力供給を開始すべきではないと判定する判定部と、
前記判定部によって前記外部メモリへの電力供給を開始すべきと判定されたとき、前記外部メモリへの電力供給を開始し、前記外部メモリへの電力供給を開始すべきではないと判定されたとき、前記外部メモリへの電力供給を中止する電力供給部と
を備えることを特徴とする携帯端末。
【請求項１０】
前記端末状態検出部は、前記外部メモリによる非接触通信の終了前の状態である前記第１の端末状態と、前記非接触通信の終了後の状態である前記第２の端末状態とを検出し、
前記条件記憶部は、前記非接触通信の終了前の状態を示す前記操作前端末状態情報と、前記非接触通信の終了後の状態を示す前記操作後端末状態情報と、前記外部メモリの使用可能性が有りとの情報を示す前記使用可能性情報との組からなる条件を記憶している
ことを特徴とする請求項９に記載の携帯端末。
【請求項１１】
前記端末状態検出部は、課金に関する処理を実行する機能を備えた課金処理アプリケーションプログラムの起動前の状態である前記第１の端末状態と、前記課金処理アプリケーションプログラムの起動後の状態である前記第２の端末状態とを検出し、
前記条件記憶部は、前記課金処理アプリケーションプログラムの起動前の状態を示す前記操作前端末状態情報と、前記課金処理アプリケーションプログラムの起動後の状態を示す前記操作後端末状態情報と、前記外部メモリの使用可能性が有りとの情報を示す前記使用可能性情報との組からなる条件を記憶している
ことを特徴とする請求項９に記載の携帯端末。
【請求項１２】
携帯端末に装着された外部メモリに電力を供給する方法であって、
変化前の前記携帯端末に搭載されているアプリケーションプログラムの状態である第１の端末状態と、変化後の前記アプリケーションプログラムの状態である第２の端末状態とを検出する端末状態検出ステップと、
前記携帯端末に前記外部メモリが装着されたことを検出するＳＤスロット状態検出ステップと、
前記ＳＤスロット状態検出ステップにおいて前記携帯端末に前記外部メモリが装着されたことが検出されている状態において、前記端末状態検出ステップにおいて前記第１の端末状態と前記第２の端末状態とが検出されたとき、操作前の前記アプリケーションプログラムの状態を示す操作前端末状態情報と、操作後の前記アプリケーションプログラムの状態を示す操作後端末状態情報と、前記外部メモリの使用可能性の有無を示す使用可能性情報との組からなる条件に基づいて、前記操作前端末状態が前記第１の端末状態を示し、かつ前記操作後端末状態が前記第２の端末状態を示すとしたときの、前記外部メモリの使用可能性の有無を前記使用可能性情報から抽出し、前記外部メモリの使用可能性が有るとの結果が抽出された場合には、前記外部メモリへの電力供給を開始すべきと判定し、前記外部メモリの使用可能性がないとの結果が抽出された場合には、前記外部メモリへの電力供給を開始すべきではないと判定する判定ステップと、
前記判定ステップにおいて前記外部メモリへの電力供給を開始すべきと判定されたとき、前記外部メモリへの電力供給を開始し、前記外部メモリへの電力供給を開始すべきではないと判定されたとき、前記外部メモリへの電力供給を中止する電力供給ステップと、
を含むことを特徴とする電力供給方法。
【請求項１３】
外部メモリを着脱可能な携帯端末用の集積回路であって、
変化前の前記携帯端末に搭載されているアプリケーションプログラムの状態である第１の端末状態と、変化後の前記アプリケーションプログラムの状態である第２の端末状態とを検出する端末状態検出部と、
前記携帯端末に前記外部メモリが装着されたことを検出するＳＤスロット状態検出部と、
操作前の前記アプリケーションプログラムの状態を示す操作前端末状態情報と、操作後の前記アプリケーションプログラムの状態を示す操作後端末状態情報と、前記外部メモリの使用可能性の有無を示す使用可能性情報との組からなる条件を記憶している条件記憶部と、
前記ＳＤスロット状態検出部によって前記携帯端末に前記外部メモリが装着されたことが検出されている状態において、前記端末状態検出部によって前記第１の端末状態と前記第２の端末状態とが検出されたとき、前記条件記憶部に記憶されている前記条件に基づいて、前記操作前端末状態が前記第１の端末状態を示し、かつ前記操作後端末状態が前記第２の端末状態を示すとしたときの、前記外部メモリの使用可能性の有無を前記使用可能性情報から抽出し、前記外部メモリの使用可能性が有るとの結果が抽出された場合には、前記外部メモリへの電力供給を開始すべきと判定し、前記外部メモリの使用可能性がないとの結果が抽出された場合には、前記外部メモリへの電力供給を開始すべきではないと判定する判定部と、
前記判定部によって前記外部メモリへの電力供給を開始すべきと判定されたとき、前記外部メモリへの電力供給を開始し、前記外部メモリへの電力供給を開始すべきではないと判定されたとき、前記外部メモリへの電力供給を中止する電力供給部と、
を備えることを特徴とする集積回路。
【発明の詳細な説明】
【技術分野】
【０００１】
本発明は、外部メモリを着脱可能な携帯端末に関し、特に、不要な電力消費を抑えることを目的とした携帯端末に関する。
【背景技術】
【０００２】
現在、携帯電話やＰＤＡ（Ｐｅｒｓｏｎａｌ  Ｄｉｇｉｔａｌ  Ａｓｓｉｓｔａｎｔ）などの携帯端末が普及している。その理由としては、手軽に持ち運べる上に様々な機能を備えている点を挙げることができる。
【０００３】
しかし、携帯端末は様々な機能を備えているため、内臓メモリのみでは必要なデータを確保しておくことができない場合がある。このため、今日の多くの携帯端末には外部メモリを接続することができ、その外部メモリにデータを保存することが一般的となった。
【０００４】
外部メモリとしては、ＳＤメモリカード、ｍｉｎｉＳＤカード、ｓｍａｒｔＳＤ、Ｍｅｍｏｒｙ  Ｓｔｉｃｋ、スマートメディア、ＭＭＣメモリカード、コンパクトフラッシュ（登録商標）メモリ、マイクロドライブ、小型ＨＤＤなどがある。以下、外部メモリとしてＳＤメモリカードを例示して説明する。
【０００５】
図１は、一般的な携帯端末のハードウェア構成図である。この携帯端末２００は、ＲＯＭ２０３と、ＲＡＭ２０２と、ＣＰＵ２０１と、ＳＤスロット２０４と、その他機能２０５とを備えている。
【０００６】
ＲＯＭ２０３は、プログラムを格納する。ＲＡＭ２０２は、プログラムを実行する際に用いられるデータを一時的に格納する。ＣＰＵ２０１は、制御処理など、ＲＯＭ２０３に格納されているプログラムに従って各種の処理を行う。ＳＤスロット２０４は、ＳＤメモリカードを装着するためのスロットである。その他機能２０５は、その他の機能を実現するために使用されるＥＥＰＲＯＭ等である。
【０００７】
図２は、一般的な携帯端末のソフトウェア構成図である。この携帯端末２００は、機能的には、ＳＤスロット状態検出部３０４と、電力供給部３０２と、認識処理部３０３と、制御部３０１とを備えている。
【０００８】
ＳＤスロット状態検出部３０４は、ＳＤメモリカードが装着されたことを検出する。電力供給部３０２は、ＳＤメモリカードに電力を供給する。認識処理部３０３は、ＳＤメモリカードを認識するために所定のコマンドを送受信する。制御部３０１は、電力供給部３０２および認識処理部３０３を制御する。
【０００９】
図３は、一般的な携帯端末がＳＤメモリカードを認識する処理を示すフローチャートである。まず、ＳＤスロット状態検出部３０４は、ＳＤスロットにカードが装着されたことを検出すると（Ｓ６０１のＹ）、その旨を制御部３０１に通知する。制御部３０１は、電力供給を開始するように電力供給部３０２に指示するとともに（Ｓ６０２）、初期化シーケンス処理を開始するように認識処理部３０３に指示する（Ｓ６０３）。認識処理部３０３は、指示を受けてから所定時間以内に認識コマンドＡＣＭＤ４１を発行する。これによって、初期化処理（Ｓ６０４）が開始され、この初期化処理が完了すると、ＳＤメモリカードの認識処理が完了する。
【００１０】
図４は、一般的なＳＤメモリカードにおける供給電圧と認識処理時間との関係図である。前記したように、従来は、ＳＤスロットにＳＤメモリカードが装着されると、直ちにＳＤメモリカードへの電力供給が開始される。そして、最小供給電圧に達するまでのパワーアップタイムが経過した後、バス供給電圧に達するまでのランプアップタイムが経過すると（あるいは初期化シーケンスが完了すると)、ＡＣＭＤ４１がＳＤメモリカードに送信され、初期化処理が開始される。この初期化処理が完了すると、携帯端末は、装着されたカードがＳＤメモリカードであることを認識し、それ以降、ＳＤメモリカードへのアクセスが可能となる。
【００１１】
このように、ＳＤメモリカードへの電力供給を開始するタイミングは、ＳＤメモリカードが携帯端末に装着されたときとするのが一般的である。また、一度電力供給が開始されると、ＳＤメモリカードを使用していない場合でも、省電力モードで電力が供給され続けるのが一般的である。
【発明の開示】
【発明が解決しようとする課題】
【００１２】
しかし、携帯電話やＰＤＡなどの携帯端末では、電力消費を極力抑えなければならない。不要な電力を消費すると、バッテリーの充電や電池交換の頻度が高くなるのはもちろん、実際に電力が必要な場面で携帯端末を使用できないという事態も生じるからである。
【００１３】
したがって、従来のように、使用していないＳＤメモリカードに電力が供給され続けることは好ましくない。例えば、待ち受け状態時にＳＤメモリカードが装着されたとしても、直ちにＳＤメモリカードが使用されるとは限らないが、従来は、直ちにＳＤメモリカードへの電力供給が開始され、不要な電力を消費していた。
【００１４】
本発明は、前記課題を解決するものであって、不要な電力消費を抑えることが可能な携帯端末を提供することを目的とする。
【課題を解決するための手段】
【００１５】
前記目的を達成するために、本発明における携帯端末は、外部メモリを着脱可能な携帯端末であって、変化前の前記携帯端末の状態である第１の端末状態と、変化後の前記携帯端末の状態である第２の端末状態とを検出する端末状態検出部と、前記外部メモリへの電力供給を開始する条件を記憶する条件記憶部と、前記端末状態検出部によって前記第１の端末状態と前記第２の端末状態とが検出されたとき、その状態変化が前記条件を満たすかどうかを判定する判定部と、前記判定部によって前記状態変化が前記条件を満たすと判定されたとき、前記外部メモリへの電力供給を開始する電力供給部とを備える。これによって、携帯端末の状態変化が所定の条件を満たすまでは外部メモリへの電力供給が開始されないため、不要な電力消費を抑えることが可能となる。
【００１６】
ここで、前記判定部は、携帯端末を構成するハードウェアの状態変化が前記条件を満たすかどうかを判定してもよい。これによって、携帯端末を構成するハードウェアの状態が変化するまでは外部メモリへの電力供給が開始されないことになる。
【００１７】
具体的には、前記判定部は、折りたたみ式携帯端末のオープン角が所定の角度以上となったとき、前記条件を満たすと判定してもよい。これによって、折りたたみ式携帯端末のオープン角が所定の角度以上となるまでは外部メモリへの電力供給が開始されないことになる。
【００１８】
また、前記判定部は、リボルバー式携帯端末のオープン角が所定の角度以上となったとき、前記条件を満たすと判定してもよい。これによって、リボルバー式携帯端末のオープン角が所定の角度以上となるまでは外部メモリへの電力供給が開始されないことになる。
【００１９】
また、前記判定部は、スライド式携帯端末のスライド距離が所定の距離以上となったとき、前記条件を満たすと判定してもよい。これによって、スライド式携帯端末のスライド距離が所定の距離以上となるまでは外部メモリへの電力供給が開始されないことになる。
【００２０】
あるいは、前記判定部は、携帯端末に搭載されているアプリケーションプログラムの状態変化が前記条件を満たすかどうかを判定してもよい。これによって、携帯端末に搭載されているアプリケーションプログラムの状態が変化するまでは外部メモリへの電力供給が開始されないことになる。
【００２１】
具体的には、前記判定部は、楽曲を再生する機能を備えた楽曲再生アプリケーションプログラムが起動されたとき、前記条件を満たすと判定してもよい。これによって、楽曲再生アプリケーションプログラムが起動されるまでは外部メモリへの電力供給が開始されないことになる。
【００２２】
また、前記判定部は、映像を再生する機能を備えた映像再生アプリケーションプログラムが起動されたとき、前記条件を満たすと判定してもよい。これによって、映像再生アプリケーションプログラムが起動されるまでは外部メモリへの電力供給が開始されないことになる。
【００２３】
また、前記判定部は、テレビ付き携帯端末によって受信された映像を録画する機能を備えた映像録画アプリケーションプログラムが起動されたとき、前記条件を満たすと判定してもよい。これによって、映像録画アプリケーションプログラムが起動されるまでは外部メモリへの電力供給が開始されないことになる。
【００２４】
また、前記判定部は、アドレス帳データを編集する機能を備えたアドレス帳アプリケーションプログラムが起動されたとき、前記条件を満たすと判定してもよい。これによって、アドレス帳アプリケーションプログラムが起動されるまでは外部メモリへの電力供給が開始されないことになる。
【００２５】
また、前記判定部は、課金に関する処理を実行する機能を備えた課金処理アプリケーションプログラムが起動されたとき、前記条件を満たすと判定してもよい。これによって、課金処理アプリケーションプログラムが起動されるまでは外部メモリへの電力供給が開始されないことになる。
【００２６】
また、前記判定部は、前記アプリケーションプログラムがデータアクセスを開始したとき、前記条件を満たすと判定してもよい。これによって、アプリケーションプログラムがデータアクセスを開始するまでは外部メモリへの電力供給が開始されないことになる。
【００２７】
あるいは、前記判定部は、前記外部メモリが行う非接触通信の状態変化が前記条件を満たすかどうかを判定してもよい。これによって、外部メモリが行う非接触通信の状態が変化するまでは外部メモリへの電力供給が開始されないことになる。
【００２８】
具体的には、前記判定部は、前記外部メモリが非接触通信を終了したとき、前記条件を満たすと判定してもよい。これによって、外部メモリが非接触通信を終了するまでは外部メモリへの電力供給が開始されないことになる。
【００２９】
また、前記判定部は、課金に関する処理を実行する機能を備えた課金処理アプリケーションプログラムが起動されたとき、前記条件を満たすと判定してもよい。これによって、前記外部メモリが非接触通信を終了しても、課金処理アプリケーションプログラムが起動されるまでは外部メモリへの電力供給が開始されないことになる。
【００３０】
なお、本発明は、このような携帯端末として実現することができるだけでなく、このような携帯端末が備える特徴的な手段をステップとする電力供給方法として実現したり、それらのステップをコンピュータに実行させるプログラムとして実現したりすることもできる。そして、そのようなプログラムは、ＣＤ−ＲＯＭ等の記憶媒体やインターネット等の伝送媒体を介して配信することができるのは言うまでもない。
【００３１】
また、構成図（図６）の各機能ブロックは典型的には集積回路であるＬＳＩとして実現される。これらは個別に１チップ化されても良いし、一部又は全てを含むように１チップ化されても良い。ここでは、LSIとしたが、集積度の違いにより、ＩＣ、システムＬＳＩ、スーパーＬＳＩ、ウルトラＬＳＩと呼称されることもある。
【００３２】
また、集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００３３】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【発明の効果】
【００３４】
以上説明したように、本発明における携帯端末によれば、携帯端末の状態変化が所定の条件を満たすまでは外部メモリへの電力供給が開始されないため、不要な電力消費を抑えることが可能となる。これによって、バッテリーの充電や電池交換の頻度が低減され、ユーザの煩わしさを解消することができる。
【００３５】
また、携帯端末に搭載されているアプリケーションプログラムのうち、楽曲再生アプリケーションプログラムや課金処理アプリケーションプログラムなど、特定のアプリケーションプログラムの状態が変化するまでは外部メモリへの電力供給が開始されない。すなわち、外部メモリを使用しないアプリケーションプログラムの状態が変化しても外部メモリへの電力供給は開始されないため、不要な電力消費を抑えることが可能となる。
【００３６】
また、アプリケーションプログラムがデータアクセスを開始するまでは外部メモリへの電力供給が開始されない。これによって、アプリケーションプログラムが起動されても外部メモリへアクセスする必要が生じるまでは外部メモリへの電力供給は開始されないため、不要な電力消費を抑えることが可能となる。
【００３７】
また、携帯端末を構成するハードウェアの状態が変化するまでは外部メモリへの電力供給が開始されない。ハードウェアの状態が変化したことを判定する機構をハードウェアによって実現すれば、ソフトウェアの負荷が削減されるという効果がある。
【００３８】
また、外部メモリが非接触通信可能なメモリカードである場合は、非接触通信が終了したときに外部メモリへの電力供給が開始される。すなわち、電力供給が不要な非接触通信中は外部メモリへの電力供給が開始されないため、不要な電力消費を抑えることが可能となる。しかも、非接触通信中であるかどうかだけを判定するだけでよいため、システムを簡略化することができるという効果もある。
【００３９】
また、外部メモリが非接触通信可能なメモリカードである場合は、課金処理アプリケーションプログラムが起動されるまでは外部メモリへの電力供給が開始されないようにすることもできる。これによって、非接触通信が終了しても外部メモリへアクセスする必要が生じるまでは電力供給が開始されないため、不要な電力消費を抑えることが可能となる。
【発明を実施するための最良の形態】
【００４０】
以下、本発明の実施の形態について、図面を参照しながら詳細に説明する。
【００４１】
（実施の形態１）
図５は、実施の形態１における携帯端末の使用環境を示す図である。
【００４２】
この使用環境には、サーバ１００と、ネットワーク１０１と、無線基地局１０２と、携帯端末２００とが含まれる。サーバ１００は、ネットワーク１０１と無線基地局１０２とを介して携帯端末２００に楽曲データやアプリケーションデータ等を提供する。
【００４３】
無線基地局１０２は、建物の屋上や電柱に備え付けの機器であり、携帯端末２００と無線によるデータの入出力を行う。無線基地局１０２は、ネットワーク１０１を介してサーバ１００と接続されている。この無線基地局１０２を介することによって、携帯端末２００は、サーバ１００のサービスを享受することができる。
【００４４】
携帯端末２００は、ネットワーク１０１と無線基地局１０２とを介してサーバ１００のサービスを享受する携帯電話１０５やＰＤＡ１０４等である。また、携帯端末２００は、ＳＤメモリカード１０３にアクセスする機器でもある。すなわち、携帯端末２００にはブラウザソフト等がインストールされており、ユーザは、このブラウザソフトのユーザインタフェースを介して、ＳＤメモリカード１０３内のデータにアクセスすることができる。
【００４５】
実施の形態１における携帯端末のハードウェア構成は、一般的な携帯端末のハードウェア構成（図１）と変わらないので、ここでは詳しい説明を省略する。
【００４６】
図６は、実施の形態１における携帯端末のソフトウェア構成図である。ＳＤスロット状態検出部３０４と、電力供給部３０２と、認識処理部３０３と、制御部３０１とを備えている点は一般的な携帯端末と変わらない。しかし、端末状態検出部４００と、端末状態管理テーブル４０１と、条件管理テーブル４０２と、判定部４０３とを備えている点が一般的な携帯端末と異なる。
【００４７】
端末状態検出部４００は、携帯端末の状態（以下「端末状態」という）を検出する。例えば、携帯端末に対して一定時間が経過しても操作が無い場合は「待機」という状態が検出され、アプリケーションプログラム（以下、単に「アプリケーション」という）が起動された場合は「アプリケーション起動中」等の状態が検出される。端末状態管理テーブル４０１は、端末状態検出部４００によって検出された端末状態を管理するテーブルである。条件管理テーブル４０２は、ＳＤメモリカードへの電力供給を開始する条件を管理するテーブルであり、本発明に係る条件記憶部の一例である。判定部４０３は、携帯端末の状態変化が条件管理テーブル４０２によって管理されている条件を満たすかどうかを判定して、その判定結果を制御部３０１に通知する。
【００４８】
図７は、端末状態管理テーブル４０１の内部構成図である。この図に示すように、端末状態管理テーブル４０１は、第１の端末状態と第２の端末状態とを管理している。第１の端末状態は、変化前の端末状態（第２の端末状態の直前の端末状態）であり、端末状態管理テーブル４０１の領域７０１に格納される。第２の端末状態は、変化後の端末状態（現在の端末状態）であり、端末状態管理テーブル４０１の領域７０２に格納される。
【００４９】
図８は、条件管理テーブル４０２の内部構成図である。この図に示すように、条件管理テーブル４０２は、端末状態９００と、ユーザ操作９０１と、操作後の端末状態９０２と、ＳＤメモリカードの使用可能性９０３とを管理している。端末状態９００は、携帯端末の状態である。ユーザ操作９０１は、端末状態９００においてユーザが行う操作である。操作後の端末状態９０２は、ユーザ操作９０１がされた後の端末状態である。ＳＤメモリカード使用可能性９０３は、操作後の端末状態９０２におけるＳＤメモリカードの使用可能性である。
【００５０】
このように、ＳＤメモリカードへの電力供給を開始する条件を条件管理テーブル４０２に予め設定しておく。すなわち、ＳＤメモリカードへの電力供給を開始すべき場合は、ＳＤメモリカード使用可能性９０３として「あり」を設定しておき、逆に、ＳＤメモリカードへの電力供給を開始すべきでない場合は、ＳＤメモリカード使用可能性９０３として「なし」を設定しておく。このような設定情報は、例えばインターネットからダウンロードすることができ、また、必要に応じて更新することができるようになっている。
【００５１】
図９は、実施の形態１における携帯端末がＳＤメモリカードを認識する処理を示すフローチャートである。以下、図９と図６とを用いて、実施の形態１における携帯端末の動作について説明する。
【００５２】
まず、端末状態検出部４００は、端末状態が変化したことを検出すると（Ｓ８０１のＹ）、検出した端末状態を第１の端末状態として端末状態管理テーブル４０１の領域７０１に格納する（Ｓ８０２）。また、ＳＤスロット状態検出部３０４は、ＳＤスロットにカードが装着されたことを検出すると（Ｓ８０３のＹ）、その旨を判定部４０３に通知する。
【００５３】
次いで、端末状態検出部４００は、端末状態が変化したことを検出すると（Ｓ８０３ａのＹ）、検出した端末状態を第２の端末状態として端末状態管理テーブル４０１の領域７０２に格納する（Ｓ８０４）。
【００５４】
ここで、判定部４０３は、端末状態管理テーブル４０１から第１の端末状態と第２の端末状態とを読み出す。そして、これら端末状態に基づいて条件管理テーブル４０２を参照し（Ｓ８０５）、電力供給を開始すべき状態であるかどうかを判定する（Ｓ８０６）。
【００５５】
これによって、判定部４０３は、電力供給を開始すべき状態であると判定した場合（Ｓ８０６のＹ）、その旨を制御部３０１に通知する。制御部３０１は、電力供給を開始するように電力供給部３０２に指示するとともに（Ｓ８０７）、初期化シーケンス処理を開始するように認識処理部３０３に指示する（Ｓ８０８）。認識処理部３０３は、指示を受けてから所定時間以内にＳＤメモリカードに対して認識コマンドＡＣＭＤ４１を発行する。これによって、初期化処理（Ｓ８０９）が実行され、この初期化処理が完了すると、ＳＤメモリカードの認識処理が完了する。
【００５６】
他方、判定部４０３は、電力供給を開始すべき状態でないと判定した場合（Ｓ８０６のＮ）、端末状態が変化するまで待機状態となる。端末状態検出部４００は、端末状態が変化したことを検出すると（Ｓ８１０のＹ）、端末状態管理テーブル４０１を更新する。すなわち、領域７０２に格納されている第２の端末状態を第１の端末状態に遷移させて領域７０１に格納する（Ｓ８１１）。また、新たに検出した端末状態を第２の端末状態として領域７０２に格納する（Ｓ８０４）。
【００５７】
以降は、前記した動作が繰り返される（Ｓ８０５→Ｓ８０６・・・）。
【００５８】
次に、より具体的な動作を例示して説明する。ここでは、携帯端末の電源をＯＮにした後にＳＤメモリカードを装着し、楽曲再生アプリケーションを起動した場合の動作について説明する。楽曲再生アプリケーションとは、楽曲を再生する機能を備えたアプリケーションをいう。
【００５９】
まず、端末状態検出部４００は、電源がＯＮになったことを検出すると（Ｓ８０１のＹ）、図７（ａ）に示すように、検出した端末状態「電源ＯＮ」を第１の端末状態として端末状態管理テーブル４０１の領域７０１に格納する（Ｓ８０２）。この時点では、第２の端末状態は存在しないため、端末状態管理テーブル４０１の領域７０２には、ＮＵＬＬなどの「情報なし」を意味する情報が格納されている。
【００６０】
その後、ＳＤスロット状態検出部３０４は、ＳＤメモリカードがＳＤスロットに装着されると、メモリカードが装着されたことを検出し（Ｓ８０３）、その旨を判定部４０３に通知する。
【００６１】
次いで、端末状態検出部４００は、一定時間が経過しても端末状態が変化しないことを検出すると（Ｓ８０３ａのＹ）、図７（ｂ）に示すように、検出した端末状態「待機」を第２の端末状態として端末状態管理テーブル４０１の領域７０２に格納する（Ｓ８０４）。
【００６２】
ここで、判定部４０３は、端末状態管理テーブル４０１から第１の端末状態「電源ＯＮ」と第２の端末状態「待機」とを読み出す。そして、これら端末情報に基づいて条件管理テーブル４０２を参照し（Ｓ８０５）、電力供給を開始すべき状態であるかどうかを判定する（Ｓ８０６）。
【００６３】
具体的には、第１の端末状態が「電源ＯＮ」であり、第２の端末状態が「待機」であるため、図８に示すように、端末状態９００が「電源ＯＮ」であり、操作後の端末状態９０２が「待機」であるレコード９１２を参照することになる（Ｓ８０５）。このレコード９１２には、ＳＤメモリカード使用可能性９０３として「なし」を意味する情報が格納されているため、判定部４０３は、電力供給を開始すべき状態でないと判定することになる（Ｓ８０６のＮ）。この場合、判定部４０３は待機状態となるため、ＳＤメモリカードへの電力供給は開始されない。
【００６４】
次いで、端末状態検出部４００は、楽曲再生アプリケーションが起動されたことを検出すると（Ｓ８１０のＹ）、図７（ｃ）に示すように、端末状態管理テーブル４０１を更新する。すなわち、領域７０２に格納されている第２の端末状態「待機」を第１の端末状態に遷移させて領域７０１に格納する（Ｓ８１１）。また、新たに検出した端末状態「楽曲再生中」を第２の端末状態として領域７０２に格納する（Ｓ８０４）。
【００６５】
ここで、判定部４０３は、端末状態管理テーブル４０１から第１の端末状態「待機」と第２の端末状態「楽曲再生中」とを読み出す。そして、これら端末状態に基づいて条件管理テーブル４０２を参照し（Ｓ８０５）、電力供給を開始すべき状態であるかどうかを判定する（Ｓ８０６）。
【００６６】
具体的には、第１の端末状態が「待機」であり、第２の端末状態が「楽曲再生中」であるため、図８に示すように、端末状態９００が「待機」であり、操作後の端末状態９０２が「楽曲再生中」であるレコード９１７を参照することになる（Ｓ８０５）。このレコード９１７には、ＳＤメモリカード使用可能性９０３として「あり」を意味する情報が格納されているため、判定部４０３は、電力供給を開始すべき状態であると判定することになる（Ｓ８０６のＹ）。
【００６７】
この場合、制御部３０１は、電力供給を開始するように電力供給部３０２に指示するとともに（Ｓ８０７）、初期化シーケンス処理を開始するように認識処理部３０３に指示する（Ｓ８０８）。認識処理部３０３は、指示を受けてから所定時間以内にＳＤメモリカードに対して認識コマンドＡＣＭＤ４１を発行する。これによって、初期化処理（Ｓ８０９）が実行され、この初期化処理が完了すると、ＳＤメモリカードの認識処理が完了する。
【００６８】
図１０は、実施の形態１における電力供給タイミングを示す図である。この図に示すように、実施の形態１によれば、ＳＤスロットにＳＤメモリカードが装着されている状態において、携帯端末の状態が「待機」から「楽曲再生中」へ変化したとき、ＳＤメモリカードへの電力供給が開始される。
【００６９】
以上のように、実施の形態１によれば、楽曲再生アプリケーションが起動されたときにＳＤメモリカードへの電力供給が開始される。すなわち、それまではＳＤメモリカードへの電力供給が開始されないため、不要な電力消費を抑えることが可能となる。これによって、バッテリーの充電や電池交換の頻度が低減され、ユーザの煩わしさを解消することができる。
【００７０】
しかも、携帯端末に搭載されているアプリケーションのうち、楽曲再生アプリケーションが起動されるまではＳＤメモリカードへの電力供給が開始されない。すなわち、ＳＤメモリカードを使用しないアプリケーションが起動されても、ＳＤメモリカードへの電力供給は開始されないようになっている。
【００７１】
なお、ＳＤメモリカードの認識処理が完了した後は、従来と同様、省電力モードになってもよいし、電力供給を終了してもよい。もっとも、このように省電力モードになったり電力供給を終了したりするのは、一定時間が経過してもＳＤメモリカードが使用されない場合に限られる。
【００７２】
また、ここでは、楽曲再生アプリケーションが起動されたときにＳＤメモリカードへの電力供給が開始されることとしているが、本発明はこれに限定されるものではない。すなわち、映像再生アプリケーションが起動されたときにＳＤメモリカードへの電力供給が開始されるようにしてもよい。再生する対象が楽曲であるか映像であるかという違いがあるだけで、携帯端末の動作は同じである。
【００７３】
（実施の形態２）
実施の形態１では、楽曲再生アプリケーションや映像再生アプリケーションが起動されたときにＳＤメモリカードへの電力供給が開始されることとしているが、本発明はこれに限定されるものではない。すなわち、映像撮影アプリケーションが起動されたときにＳＤメモリカードへの電力供給が開始されるようにしてもよい。映像撮影アプリケーションとは、映像を撮影する機能を備えたアプリケーションをいう。
【００７４】
以下、映像撮影アプリケーションが起動されたときの動作について説明する。基本的な動作は実施の形態１と変わらないので、ここでは、図９に示すステップＳ８１０以降の動作について説明する。また、図１１は、実施の形態２における端末状態管理テーブル４０１の内部構成図であるが、図１１（ａ）から（ｂ）への遷移については実施の形態１と変わらないので説明を省略する。
【００７５】
端末状態検出部４００は、映像撮影アプリケーションが起動されたことを検出すると（Ｓ８１０のＹ）、図１１（ｃ）に示すように、端末状態管理テーブル４０１を更新する。すなわち、領域７０２に格納されている第２の端末状態「待機」を第１の端末状態に遷移させて領域７０１に格納する（Ｓ８１１）。また、新たに検出した端末状態「映像撮影操作中」を第２の端末状態として領域７０２に格納する（Ｓ８０４）。
【００７６】
ここで、判定部４０３は、端末状態管理テーブル４０１から第１の端末状態「待機」と第２の端末状態「映像撮影操作中」とを読み出す。そして、これら端末状態に基づいて条件管理テーブル４０２を参照し（Ｓ８０５）、電力供給を開始すべき状態であるかどうかを判定する（Ｓ８０６）。
【００７７】
具体的には、第１の端末状態が「待機」であり、第２の端末状態が「映像撮影操作中」であるため、図８に示すように、端末状態９００が「待機」であり、操作後の端末状態９０２が「映像撮影操作中」であるレコード９１８を参照することになる（Ｓ８０５）。このレコード９１８には、ＳＤメモリカード使用可能性９０３として「あり」を意味する情報が格納されているため、判定部４０３は、電力供給を開始すべき状態であると判定することになる（Ｓ８０６のＹ）。これによって、ＳＤメモリカードへの電力供給が開始されることになるが、この動作は実施の形態１と同じであるため説明を省略する。
【００７８】
以上のように、実施の形態２によれば、映像撮影アプリケーションが起動されたときにＳＤメモリカードへの電力供給が開始される。すなわち、それまではＳＤメモリカードへの電力供給が開始されないため、不要な電力消費を抑えることが可能となる。
【００７９】
（実施の形態３）
実施の形態２では、映像撮影アプリケーションが起動されたときにＳＤメモリカードへの電力供給が開始されることとしているが、本発明はこれに限定されるものではない。すなわち、映像録画アプリケーションが起動されたときにＳＤメモリカードへの電力供給が開始されるようにしてもよい。
【００８０】
例えば、携帯端末２００は、テレビチューナを内蔵した携帯端末（以下「テレビ付き携帯端末」という）であると仮定する。この場合、テレビチューナで受信したテレビ番組の映像をＳＤメモリカードに録画することがあるので、映像録画アプリケーションが起動されたときにＳＤメモリカードへの電力供給が開始されるようにしてもよい。
【００８１】
以下、映像録画アプリケーションが起動されたときの動作について説明する。基本的な動作は実施の形態１と変わらないので、ここでは、図９に示すステップＳ８１０以降の動作について説明する。また、図１２は、実施の形態３における端末状態管理テーブル４０１の内部構成図であるが、図１２（ａ）から（ｂ）への遷移については実施の形態１と変わらないので説明を省略する。
【００８２】
端末状態検出部４００は、映像録画アプリケーションが起動されたことを検出すると（Ｓ８１０のＹ）、図１２（ｃ）に示すように、端末状態管理テーブル４０１を更新する。すなわち、領域７０２に格納されている第２の端末状態「待機」を第１の端末状態に遷移させて領域７０１に格納する（Ｓ８１１）。また、新たに検出した端末状態「映像録画中」を第２の端末状態として領域７０２に格納する（Ｓ８０４）。
【００８３】
ここで、判定部４０３は、端末状態管理テーブル４０１から第１の端末状態「待機」と第２の端末状態「映像録画中」とを読み出す。そして、これら端末状態に基づいて条件管理テーブル４０２を参照し（Ｓ８０５）、電力供給を開始すべき状態であるかどうかを判定する（Ｓ８０６）。
【００８４】
具体的には、第１の端末状態が「待機」であり、第２の端末状態が「映像録画中」であるため、図８に示すように、端末状態９００が「待機」であり、操作後の端末状態９０２が「映像録画中」であるレコード９１８ａを参照することになる（Ｓ８０５）。このレコード９１８ａには、ＳＤメモリカード使用可能性９０３として「あり」を意味する情報が格納されているため、判定部４０３は、電力供給を開始すべき状態であると判定することになる（Ｓ８０６のＹ）。これによって、ＳＤメモリカードへの電力供給が開始されることになるが、この動作は実施の形態１と同じであるため説明を省略する。
【００８５】
以上のように、実施の形態３によれば、映像録画アプリケーションが起動されたときにＳＤメモリカードへの電力供給が開始される。すなわち、それまではＳＤメモリカードへの電力供給が開始されないため、不要な電力消費を抑えることが可能となる。
【００８６】
（実施の形態４）
実施の形態１〜３では、アプリケーションが起動されたときにＳＤメモリカードへの電力供給が開始されることとしているが、本発明はこれに限定されるものではない。すなわち、アプリケーションがデータアクセスを開始したときにＳＤメモリカードへの電力供給が開始されるようにしてもよい。
【００８７】
以下、アドレス帳アプリケーションが起動されたときの動作、特にアドレス帳データを編集するための操作がされたときの動作について説明する。アドレス帳アプリケーションとは、アドレス帳データを編集する機能を備えたアプリケーションをいう。
【００８８】
基本的な動作は実施の形態１と変わらないので、ここでは、図９に示すステップＳ８１０以降の動作について説明する。また、図１３は、実施の形態４における端末状態管理テーブル４０１の内部構成図であるが、図１３（ａ）から（ｂ）への遷移については実施の形態１と変わらないので説明を省略する。
【００８９】
端末状態検出部４００は、アドレス帳アプリケーションが起動されたことを検出すると（Ｓ８１０のＹ）、図１３（ｃ）に示すように、端末状態管理テーブル４０１を更新する。すなわち、領域７０２に格納されている第２の端末状態「待機」を第１の端末状態に遷移させて領域７０１に格納する（Ｓ８１１）。また、新たに検出した端末状態「アドレス帳操作中」を第２の端末状態として領域７０２に格納する（Ｓ８０４）。
【００９０】
ここで、判定部４０３は、端末状態管理テーブル４０１から第１の端末状態「待機」と第２の端末状態「アドレス帳操作中」とを読み出す。そして、これら端末状態に基づいて条件管理テーブル４０２を参照し（Ｓ８０５）、電力供給を開始すべき状態であるかどうかを判定する（Ｓ８０６）。
【００９１】
具体的には、第１の端末状態が「待機」であり、第２の端末状態が「アドレス帳操作中」であるため、図８に示すように、端末状態９００が「待機」であり、操作後の端末状態９０２が「アドレス帳操作中」であるレコード９１５を参照することになる（Ｓ８０５）。このレコード９１５には、ＳＤメモリカード使用可能性９０３として「なし」を意味する情報が格納されているため、判定部４０３は、電力供給を開始すべき状態でないと判定することになる（Ｓ８０６のＮ）。この場合、判定部４０３は待機状態となるため、ＳＤメモリカードへの電力供給は開始されない。
【００９２】
次いで、端末状態検出部４００は、アドレス帳データを編集するための操作がされたことを検出すると（Ｓ８１０のＹ）、図１３（ｄ）に示すように、端末状態管理テーブル４０１を更新する。すなわち、領域７０２に格納されている第２の端末状態「アドレス帳操作中」を第１の端末状態に遷移させて領域７０１に格納する（Ｓ８１１）。また、新たに検出した端末状態「データアクセス」を第２の端末状態として領域７０２に格納する（Ｓ８０４）。
【００９３】
ここで、判定部４０３は、端末状態管理テーブル４０１から第１の端末状態「アドレス帳操作中」と第２の端末状態「データアクセス」とを読み出す。そして、これら端末状態に基づいて条件管理テーブル４０２を参照し（Ｓ８０５）、電力供給を開始すべき状態であるかどうかを判定する（Ｓ８０６）。
【００９４】
具体的には、第１の端末状態が「アドレス帳操作中」であり、第２の端末状態が「データアクセス」であるため、図８に示すように、端末状態９００が「アドレス帳操作中」であり、操作後の端末状態９０２が「データアクセス」であるレコード９１９を参照することになる（Ｓ８０５）。このレコード９１９には、ＳＤメモリカード使用可能性９０３として「あり」を意味する情報が格納されているため、判定部４０３は、電力供給を開始すべき状態であると判定することになる（Ｓ８０６のＹ）。これによって、ＳＤメモリカードへの電力供給が開始されることになるが、この動作は実施の形態１と同じであるため説明を省略する。
【００９５】
以上のように、実施の形態４によれば、アドレス帳データを編集するための操作がされたときにＳＤメモリカードへの電力供給が開始される。すなわち、アドレス帳アプリケーションが起動されてもＳＤメモリカードへアクセスする必要が生じるまではＳＤメモリカードへの電力供給が開始されないため、不要な電力消費を抑えることが可能となる。
【００９６】
なお、ここでは、アドレス帳アプリケーションが起動されてもＳＤメモリカードへの電力供給は開始されないこととしているが、本発明はこれに限定されるものではない。すなわち、実施の形態１や２と同様、アドレス帳アプリケーションが起動されたときにＳＤメモリカードへの電力供給が開始されるようにしてもよい。
【００９７】
（実施の形態５）
実施の形態４では、アドレス帳データを編集するための操作がされたときにＳＤメモリカードへの電力供給が開始されることとしているが、本発明はこれに限定されるものではない。すなわち、データアクセスが開始されたときであれば、そのアクセス形態がどのような形態であっても、実施の形態４と同様、ＳＤメモリカードへの電力供給が開始されるようにしてもよい。
【００９８】
以下、ユーザがデータフォルダにアクセスするための操作をしたときの動作について説明する。基本的な動作は実施の形態１と変わらないので、ここでは、図９に示すステップＳ８１０以降の動作について説明する。また、図１４は、実施の形態５における端末状態管理テーブル４０１の内部構成図であるが、図１４（ａ）から（ｂ）への遷移については実施の形態１と変わらないので説明を省略する。
【００９９】
端末状態検出部４００は、データフォルダにアクセスするための操作がされたことを検出すると（Ｓ８１０のＹ）、図１４（ｃ）に示すように、端末状態管理テーブル４０１を更新する。すなわち、領域７０２に格納されている第２の端末状態「待機」を第１の端末状態に遷移させて領域７０１に格納する（Ｓ８１１）。また、新たに検出した端末状態「データアクセス」を第２の端末状態として領域７０２に格納する（Ｓ８０４）。
【０１００】
ここで、判定部４０３は、端末状態管理テーブル４０１から第１の端末状態「待機」と第２の端末状態「データアクセス」とを読み出す。そして、これら端末状態に基づいて条件管理テーブル４０２を参照し（Ｓ８０５）、電力供給を開始すべき状態であるかどうかを判定する（Ｓ８０６）。
【０１０１】
具体的には、第１の端末状態が「待機」であり、第２の端末状態が「データアクセス」であるため、図８に示すように、端末状態９００が「待機」であり、操作後の端末状態９０２が「データアクセス」であるレコード９１４を参照することになる（Ｓ８０５）。このレコード９１４には、ＳＤメモリカード使用可能性９０３として「あり」を意味する情報が格納されているため、判定部４０３は、電力供給を開始すべき状態であると判定することになる（Ｓ８０６のＹ）。これによって、ＳＤメモリカードへの電力供給が開始されることになるが、この動作は実施の形態１と同じであるため説明を省略する。
【０１０２】
以上のように、実施の形態５によれば、ユーザがデータフォルダにアクセスするための操作をしたときにＳＤメモリカードへの電力供給が開始される。すなわち、それまではＳＤメモリカードへの電力供給が開始されないため、不要な電力消費を抑えることが可能となる。
【０１０３】
（実施の形態６）
実施の形態１〜５では、アプリケーションが起動されたときやデータアクセスが開始されたときにＳＤメモリカードへの電力供給が開始されることとしているが、本発明はこれに限定されるものではない。すなわち、携帯端末を構成するハードウェアの状態が変化したときにＳＤメモリカードへの電力供給が開始されるようにしてもよい。
【０１０４】
図１５は、折りたたみ式携帯端末と電力供給開始条件との関係を示す図である。ここでは、図１５（ａ）に示すように、オープン判定角をθ０とし、このθ０は、０°より大きい角度であることを前提に説明する。
【０１０５】
通常、折りたたみ式携帯端末は、図１５（ｂ）に示すように、閉じた状態で待機状態となっている。この状態における携帯端末のオープン角θ１は０°であり、オープン判定角θ０よりも小さい。したがって、この時点で携帯端末にＳＤメモリカードが装着されたとしても、ＳＤメモリカードへの電力供給は開始しない。
【０１０６】
次に、図１５（ｃ）に示すように、携帯端末がオープン途中の場合でも、そのオープン角θ２がオープン判定角θ０よりも小さい場合は、前記と同様、ＳＤメモリカードへの電力供給は開始しない。
【０１０７】
最後に、図１５（ｄ）に示すように、携帯端末のオープン角θ３がオープン判定角θ０以上になったとき、判定部４０３は、電力供給を開始すべき状態であると判定し、その旨を制御部３０１に通知する。これによって、実施の形態１と同様の手順でＳＤメモリカードへの電力供給が開始されることになる。
【０１０８】
以上のように、実施の形態６によれば、折りたたみ式携帯端末のオープン角がオープン判定角以上となったときにＳＤメモリカードへの電力供給が開始される。すなわち、それまではＳＤメモリカードへの電力供給が開始されないため、不要な電力消費を抑えることが可能となる。しかも、電力供給開始条件を判定する機構をハードウェアによって実現することができるので、ソフトウェアの負荷が削減されるという効果もある。
【０１０９】
（実施の形態７）
実施の形態６では、携帯端末の形状を折りたたみ式としていたが、本発明はこれに限定されるものではない。すなわち、リボルバー式の携帯端末やスライド式の携帯端末の場合も、実施の形態６と同様、ハードウェアの状態が変化したときにＳＤメモリカードへの電力供給が開始されるようにしてもよい。
【０１１０】
図１６（ａ）は、リボルバー式携帯端末と電力供給開始条件との関係を示す図である。リボルバー式携帯端末はサイド方向へオープンする構造となっているので、オープン判定角θ０もサイド方向の角度とする。すなわち、サイドへのオープン角がオープン判定角θ０以上になったとき、実施の形態６と同様の手順でＳＤメモリカードへの電力供給が開始されるようになっている。
【０１１１】
図１６（ｂ）は、スライド式携帯端末と電力供給開始条件との関係を示す図である。スライド式携帯端末は本体の一部がスライドする構造となっているので、オープン判定の基準は、角度ではなくスライド距離とする。すなわち、スライド距離がオープン判定距離Ｌ０以上になったとき、実施の形態６と同様の手順でＳＤメモリカードへの電力供給が開始されるようになっている。
【０１１２】
以上のように、実施の形態７によれば、リボルバー式携帯端末のオープン角がオープン判定角以上となったときや、スライド式携帯端末のスライド距離がオープン判定距離以上になったとき、ＳＤメモリカードへの電力供給が開始される。すなわち、それまではＳＤメモリカードへの電力供給が開始されないため、不要な電力消費を抑えることが可能となる。しかも、電力供給開始条件を判定する機構をハードウェアによって実現することができるので、ソフトウェアの負荷が削減されるという効果もある。
【０１１３】
（実施の形態８）
実施の形態１〜７では、ＳＤメモリカードのように、接触通信でのみ動作可能な外部メモリを例示して説明したが、本発明はこれに限定されるものではない。すなわち、ｓｍａｒｔＳＤカードのように、非接触通信可能な外部メモリを採用することも可能である。
【０１１４】
図１７は、一般的な非接触通信対応携帯端末の利用形態を示す概観図である。基本的な構成は図５と変わらない。しかし、非接触通信対応携帯端末１３００がサーバ１００やネットワーク１０１とアクセスするためにはリーダライタ１２００が必要となる。また、非接触通信対応携帯端末１３００に装着するメモリカードは、ｓｍａｒｔＳＤカードなどの非接触通信対応メモリカード１２０１となる。
【０１１５】
ここで、非接触通信対応メモリカード１２０１は、非接触通信対応携帯端末１３００に装着された場合、リーダライタ１２００から電力供給を受けて動作可能である。すなわち、携帯端末から電力供給を受けずに動作可能な場合があるという点が一般的なメモリカードと異なる。
【０１１６】
図１８は、ｓｍａｒｔＳＤカードに対応した携帯端末のハードウェア構成図である。ＣＰＵ２０１と、ＲＡＭ２０２と、ＲＯＭ２０３と、ＳＤスロット２０４と、その他機能２０５とを備えている点は一般的な携帯端末と変わらない。しかし、非接触通信インターフェースとして、アンテナコイル２０６を備えている点が一般的な携帯端末と異なる。
【０１１７】
図１９は、非接触通信対応メモリカードを装着した携帯端末とリーダライタとの関係図である。ユーザが非接触通信対応携帯端末１３００をリーダライタ１２００の電界１４００に入れると、非接触通信対応携帯端末１３００のアンテナコイル２０６によってリーダライタ１２００からの電力供給を受け、非接触通信が可能な状態となる。他方、ユーザが非接触通信対応携帯端末１３００をリーダライタ１２００の電界１４００から抜くと、リーダライタ１２００からの電力供給がなくなるため、非接触通信ができない状態となる。
【０１１８】
本実施の形態８では、携帯端末が非接触通信対応携帯端末であり、その外部メモリがｓｍａｒｔＳＤカードである場合について説明する。基本的な動作は実施の形態１と変わらないので、ここでは、図９に示すステップＳ８１０以降の動作について説明する。また、図２０は、実施の形態８における端末状態管理テーブル４０１の内部構成図であるが、図２０（ａ）から（ｂ）への遷移については実施の形態１と変わらないので説明を省略する。
【０１１９】
端末状態検出部４００は、リーダライタの電界１４００に入ったこと、つまり非接触通信中になったことを検出すると（Ｓ８１０のＹ）、図２０（ｃ）に示すように、端末状態管理テーブル４０１を更新する。すなわち、領域７０２に格納されている第２の端末状態「待機」を第１の端末状態に遷移させて領域７０１に格納する（Ｓ８１１）。また、新たに検出した端末状態「非接触通信中」を第２の端末状態として領域７０２に格納する（Ｓ８０４）。
【０１２０】
ここで、判定部４０３は、端末状態管理テーブル４０１から第１の端末状態「待機」と第２の端末状態「非接触通信中」とを読み出す。そして、これら端末状態に基づいて条件管理テーブル４０２を参照し（Ｓ８０５）、電力供給を開始すべき状態であるかどうかを判定する（Ｓ８０６）。
【０１２１】
具体的には、第１の端末状態が「待機」であり、第２の端末状態が「非接触通信中」であるため、図８に示すように、端末状態９００が「待機」であり、操作後の端末状態９０２が「非接触通信中」であるレコード９２１を参照することになる（Ｓ８０５）。このレコード９２１には、ＳＤメモリカード使用可能性９０３として「なし」を意味する情報が格納されているため、判定部４０３は、電力供給を開始すべき状態でないと判定することになる（Ｓ８０６のＮ）。この場合、判定部４０３は待機状態となるため、ｓｍａｒｔＳＤカードへの電力供給は開始されない。
【０１２２】
次いで、端末状態検出部４００は、リーダライタの電界１４００から抜けたこと、つまり待機状態になったことを検出すると（Ｓ８１０のＹ）、図２０（ｄ）に示すように、端末状態管理テーブル４０１を更新する。すなわち、領域７０２に格納されている第２の端末状態「非接触通信中」を第１の端末状態に遷移させて領域７０１に格納する（Ｓ８１１）。また、新たに検出した端末状態「待機」を第２の端末状態として領域７０２に格納する（Ｓ８０４）。
【０１２３】
ここで、判定部４０３は、端末状態管理テーブル４０１から第１の端末状態「非接触通信中」と第２の端末状態「待機」とを読み出す。そして、これら端末状態に基づいて条件管理テーブル４０２を参照し（Ｓ８０５）、電力供給を開始すべき状態であるかどうかを判定する（Ｓ８０６）。
【０１２４】
具体的には、第１の端末状態が「非接触通信中」であり、第２の端末状態が「待機」であるため、図８に示すように、端末状態９００が「非接触通信中」であり、操作後の端末状態９０２が「待機」であるレコード９２２を参照することになる（Ｓ８０５）。このレコード９２２には、ＳＤメモリカード使用可能性９０３として「あり」を意味する情報が格納されているため、判定部４０３は、電力供給を開始すべき状態であると判定することになる（Ｓ８０６のＹ）。これによって、ｓｍａｒｔＳＤカードへの電力供給が開始されることになるが、この動作は実施の形態１と同じであるため説明を省略する。
【０１２５】
以上のように、実施の形態８によれば、非接触通信が終了したときにｓｍａｒｔＳＤカードへの電力供給が開始される。すなわち、電力供給が不要な非接触通信中はｓｍａｒｔＳＤカードへの電力供給が開始されないため、不要な電力消費を抑えることが可能となる。しかも、非接触通信中であるかどうかだけを判定するだけでよいため、システムを簡略化することができるという効果もある。
【０１２６】
（実施の形態９）
実施の形態８では、非接触通信が終了したときにｓｍａｒｔＳＤカードへの電力供給が開始されることとしているが、本発明はこれに限定されるものではない。すなわち、実施の形態８では、非接触通信が終了した直後にｓｍａｒｔＳＤカード内のデータが参照される場面を想定しているが、このようにｓｍａｒｔＳＤカード内のデータが参照される目的は様々ある。例えば、非接触通信が終了した後、その課金処理を実行するために、ｓｍａｒｔＳＤカード内のデータが参照される場合がある。この場合は、非接触通信が終了しても課金処理アプリケーションが起動されるまでは、ｓｍａｒｔＳＤカードへの電力供給を開始する必要がない。
【０１２７】
以下、課金処理アプリケーションが起動されたときの動作について説明する。課金処理アプリケーションとは、課金に関する処理を実行する機能を備えたアプリケーションをいう。ここでいう課金は、非接触通信によって享受したサービスについて課される料金である。
【０１２８】
基本的な動作は実施の形態８と変わらないので、ここでは、図９に示すステップＳ８１０以降の動作について説明する。また、図２１は、実施の形態９における端末状態管理テーブル４０１の内部構成図であるが、図２１（ａ）から（ｃ）への遷移については実施の形態８と変わらないので説明を省略する。さらに、図２２は、実施の形態９における条件管理テーブル４０２の内部構成図である。
【０１２９】
端末状態検出部４００は、リーダライタの電界１４００から抜けたこと、つまり待機状態になったことを検出すると（Ｓ８１０のＹ）、図２１（ｄ）に示すように、端末状態管理テーブル４０１を更新する。すなわち、領域７０２に格納されている第２の端末状態「非接触通信中」を第１の端末状態に遷移させて領域７０１に格納する（Ｓ８１１）。また、新たに検出した端末状態「待機」を第２の端末状態として領域７０２に格納する（Ｓ８０４）。
【０１３０】
ここで、判定部４０３は、端末状態管理テーブル４０１から第１の端末状態「非接触通信中」と第２の端末状態「待機」とを読み出す。そして、これら端末状態に基づいて条件管理テーブル４０２を参照し（Ｓ８０５）、電力供給を開始すべき状態であるかどうかを判定する（Ｓ８０６）。
【０１３１】
具体的には、第１の端末状態が「非接触通信中」であり、第２の端末状態が「待機」であるため、図２２に示すように、端末状態９００が「非接触通信中」であり、操作後の端末状態９０２が「待機」であるレコード９２３を参照することになる（Ｓ８０５）。このレコード９２３には、ＳＤメモリカード使用可能性９０３として「なし」を意味する情報が格納されているため、判定部４０３は、電力供給を開始すべき状態でないと判定することになる（Ｓ８０６のＮ）。
【０１３２】
次いで、端末状態検出部４００は、課金処理アプリケーションが起動されたことを検出すると（Ｓ８１０のＹ）、図２１（ｅ）に示すように、端末状態管理テーブル４０１を更新する。すなわち、領域７０２に格納されている第２の端末状態「待機」を第１の端末状態に遷移させて領域７０１に格納する（Ｓ８１１）。また、新たに検出した端末状態「課金処理中」を第２の端末状態として領域７０２に格納する（Ｓ８０４）。
【０１３３】
ここで、判定部４０３は、端末状態管理テーブル４０１から第１の端末状態「待機」と第２の端末状態「課金処理中」とを読み出す。そして、これら端末状態に基づいて条件管理テーブル４０２を参照し（Ｓ８０５）、電力供給を開始すべき状態であるかどうかを判定する（Ｓ８０６）。
【０１３４】
具体的には、第１の端末状態が「待機」であり、第２の端末状態が「課金処理中」であるため、図２２に示すように、端末状態９００が「待機」であり、操作後の端末状態９０２が「課金処理中」であるレコード９２４を参照することになる（Ｓ８０５）。このレコード９２４には、ＳＤメモリカード使用可能性９０３として「あり」を意味する情報が格納されているため、判定部４０３は、電力供給を開始すべき状態であると判定することになる（Ｓ８０６のＹ）。これによって、ｓｍａｒｔＳＤカードへの電力供給が開始されることになるが、この動作は実施の形態１と同じであるため説明を省略する。
【０１３５】
以上のように、実施の形態９によれば、課金処理アプリケーションが起動されたときにｓｍａｒｔＳＤカードへの電力供給が開始される。すなわち、電力供給が不要な非接触通信中はｓｍａｒｔＳＤカードへの電力供給が開始されないだけでなく、非接触通信が終了してもｓｍａｒｔＳＤカードへアクセスする必要が生じるまでは電力供給が開始されないため、不要な電力消費を抑えることが可能となる。
【０１３６】
なお、ここでは、非接触通信可能なｓｍａｒｔＳＤカードを例示して説明したが、本発明はこれに限定されるものではない。すなわち、課金処理アプリケーションが起動されたとき、非接触通信ができない外部メモリへの電力供給が開始されるようにしてもよい。
【０１３７】
（実施の形態１〜９の第１の補足事項）
以上、実施の形態１〜９について説明した。これまでの説明における、制御部３０１、電力供給部３０２、認識処理部３０３、ＳＤスロット状態検出部３０４、端末状態検出部４００、判定部４０３などの各機能は、典型的には、ＣＰＵがコンピュータプログラムを実行することにより実現される。そのプログラムは、携帯端末内のＲＯＭに予め格納されている場合と、外部よりダウンロードされて携帯端末内の不揮発メモリに格納される場合とがある。
【０１３８】
（実施の形態１〜９の第２の補足事項）
また、前述の機能は、ＣＰＵ、ＲＡＭ、ＲＯＭ、不揮発性メモリ等のハードウェア資源と組み合わせることによって、集積回路であるＬＳＩによって実現される場合がある。これら機能は、個別に１チップ化されてもよいし、幾つかまとまった単位で１チップ化されてもよい。
【０１３９】
図２３は、実施の形態１〜９における携帯端末の特徴的な構成部を集積回路化した場合の一例を示す図である。ＬＳＩ２０００は、集積回路の一例であり、破線で囲まれている範囲に含まれる構成部の機能を実現する。集積回路は、集積度の違いにより、ＩＣ、システムＬＳＩ、スーパーＬＳＩ、ウルトラＬＳＩと呼称されることもある。
【０１４０】
また、集積回路は、ＬＳＩに限るものではなく、専用回路又は汎用プロセサによって実現されてもよい。ＬＳＩ製作後にプログラムを格納することが可能なＦｉｅｌｄ  Ｐｒｏｇｒａｍｍａｂｌｅ  Ｇａｔｅ  Ａｒｒａｙ（ＦＰＧＡ）や、ＬＳＩ内部の回路セルの接続や設定を再構成することが可能なリコンフィギュラブル・プロセッサーが利用されてもよい。さらには、半導体技術の進歩又は派生する別技術によりＬＳＩに置き換わる集積回路化の技術（バイオ技術、有機化学技術等）が登場すれば、当然その技術を用いて前記機能の集積化が行われてもよい。
【産業上の利用可能性】
【０１４１】
本発明における携帯端末は、不要な電力消費を抑えることが可能であるという効果を有し、携帯電話やＰＤＡ等として有用である。
【図面の簡単な説明】
【０１４２】
【図１】図１は、一般的な携帯端末のハードウェア構成図である。
【図２】図２は、一般的な携帯端末のソフトウェア構成図である。
【図３】図３は、一般的な携帯端末がＳＤメモリカードを認識する処理を示すフローチャートである。
【図４】図４は、一般的なＳＤメモリカードにおける供給電圧と認識処理時間との関係図である。
【図５】図５は、実施の形態１における携帯端末の使用環境を示す図である。
【図６】図６は、実施の形態１における携帯端末のソフトウェア構成図である。
【図７】図７は、実施の形態１における端末状態管理テーブルの内部構成図である。
【図８】図８は、実施の形態１における条件管理テーブルの内部構成図である。
【図９】図９は、実施の形態１における携帯端末がＳＤメモリカードを認識する処理を示すフローチャートである。
【図１０】図１０は、実施の形態１における電力供給タイミングを示す図である。
【図１１】図１１は、実施の形態２における端末状態管理テーブルの内部構成図である。
【図１２】図１２は、実施の形態３における端末状態管理テーブルの内部構成図である。
【図１３】図１３は、実施の形態４における端末状態管理テーブルの内部構成図である。
【図１４】図１４は、実施の形態５における端末状態管理テーブルの内部構成図である。
【図１５】図１５は、折りたたみ式携帯端末と電力供給開始条件との関係を示す図である。
【図１６】図１６（ａ）は、リボルバー式携帯端末と電力供給開始条件との関係を示す図である。図１６（ｂ）は、スライド式携帯端末と電力供給開始条件との関係を示す図である。
【図１７】図１７は、一般的な非接触通信対応携帯端末の利用形態を示す概観図である。
【図１８】図１８は、ｓｍａｒｔＳＤカードに対応した携帯端末のハードウェア構成図である。
【図１９】図１９は、非接触通信対応メモリカードを装着した携帯端末とリーダライタとの関係図である。
【図２０】図２０は、実施の形態８における端末状態管理テーブルの内部構成図である。
【図２１】図２１は、実施の形態９における端末状態管理テーブルの内部構成図である。
【図２２】図２２は、実施の形態９における条件管理テーブルの内部構成図である。
【図２３】図２３は、実施の形態１〜９における携帯端末の特徴的な構成部を集積回路化した場合の一例を示す図である。
【符号の説明】
【０１４３】
１０３  ＳＤメモリカード
２００  携帯端末
３０１  制御部
３０２  電力供給部
３０３  認識処理部
３０４  ＳＤスロット状態検出部
４００  端末状態検出部
４０１  端末状態管理テーブル
４０２  条件管理テーブル
４０３  判定部
【図１】
0004733048.tif 000002
【図２】
0004733048.tif 000003
【図３】
0004733048.tif 000004
【図４】
0004733048.tif 000005
【図５】
0004733048.tif 000006
【図６】
0004733048.tif 000007
【図７】
0004733048.tif 000008
【図８】
0004733048.tif 000009
【図９】
0004733048.tif 000010
【図１０】
0004733048.tif 000011
【図１１】
0004733048.tif 000012
【図１２】
0004733048.tif 000013
【図１３】
0004733048.tif 000014
【図１４】
0004733048.tif 000015
【図１５】
0004733048.tif 000016
【図１６】
0004733048.tif 000017
【図１７】
0004733048.tif 000018
【図１８】
0004733048.tif 000019
【図１９】
0004733048.tif 000020
【図２０】
0004733048.tif 000021
【図２１】
0004733048.tif 000022
【図２２】
0004733048.tif 000023
【図２３】
0004733048.tif 000024